(57)【特許請求の範囲】
【請求項１】
浴槽水をポンプにて外部循環させた上、気泡混じりの噴流として浴槽本体の内面で開口する噴出口より噴出する気泡浴槽装置の防振支持構造であって
前記ポンプの下側に配置され、該ポンプの荷重に耐え得る強度の荷重受部を備えた敷設部材と、該敷設部材と別材料のゲル状物質から成り、該敷設部材における該荷重受部の下面側に積層された衝撃吸収ゲル体とを含む防振装置を、該ポンプと床スラブ等設置面との間に介設し、且つ前記敷設部材は前記衝撃吸収ゲル体の収容室を有していて、該収容室内部に該衝撃吸収ゲル体が収容されるとともに、該収容室の下側に切除可能な脚が形成されていることを特徴とする気泡浴槽装置の防振支持構造。
【発明の詳細な説明】
【０００１】
【産業上の利用分野】
この発明は気泡浴槽装置の防振支持構造に関する。
【０００２】
【従来の技術及び発明が解決しようとする課題】
近年、浴槽水をポンプにて外部循環させた上、気泡混じりの噴流として浴槽本体の開口より噴出する気泡浴槽装置が広く用いられている。
【０００３】
図１９はその一例を示している。図において３００は床スラブ上に設置された浴槽本体、３０２は浴槽水を外部循環させるための配管、３０４は配管３０２を通じて浴槽水を外部循環させるためのポンプで、据置台３０６の上に設置されている。
【０００４】
ところでこのような気泡浴槽装置を設置した場合、特にホテル，マンション等の集合住宅において、浴槽本体３００の振動やポンプ３０４の振動が浴室はもとより階下にも伝わって、階下において振動や騒音が発生する問題が従来指摘されていた。
【０００５】
その対策として、図１９に示しているように浴槽本体３００の脚の下にゴム製の脚３０８を備えたセメント系パネル３１０を介設し、以て浴槽本体３００からの振動が床スラブ、更には階下の壁等に伝わるのを防止することが提案されている（実開平３−６４０９２）。
【０００６】
しかしながらこの防振支持構造においては、防振作用の主体をなすゴム製の脚３０８が反発弾性の大きなものであるために浴槽本体３００からの振動を十分に吸収することができず、防振効果の点で不十分である問題がある。
【０００７】
【課題を解決するための手段】
本願の発明はこのような課題を解決するためになされたものである。
而して本願の発明は、浴槽水をポンプにて外部循環させた上、気泡混じりの噴流として浴槽本体の内面で開口する噴出口より噴出する気泡浴槽装置の防振支持構造であって、前記ポンプの下側に配置され、該ポンプの荷重に耐え得る強度の荷重受部を備えた敷設部材と、該敷設部材と別材料のゲル状物質から成り、該敷設部材における該荷重受部の下面側に積層された衝撃吸収ゲル体とを含む防振装置を、該ポンプと床スラブ等設置面との間に介設し、且つ前記敷設部材は前記衝撃吸収ゲル体の収容室を有していて、該収容室内部に該衝撃吸収ゲル体が収容されるとともに、該収容室の下側に切除可能な脚が形成されていることを特徴とする（請求項１）。
【０００８】
【作用及び発明の効果】
ここで衝撃吸収用のゲル状物質として、例えばシリコーンゴムの架橋度を低く抑えてゲル状に調整したシリコーンゲルを例示することができる。このものは未反応の液状のシリコーンオイルを含浸しており、振動波の伝播が少なく、緩衝用材料として広く用いられているものである。
【０００９】
因みにこの衝撃吸収用のゲル状物質の１つとして（株）ブリヂストンよりＭＮＣＳの名で市販されているものがある（反発弾性２５％以下）。
但しこれはあくまで一例であって、他の衝撃吸収用のゲル状物質を用いることも可能である。
【００１０】
上記のように請求項１の発明は、敷設部材と衝撃吸収ゲル体とを積層して成る防振装置をポンプと設置面との間に介設したもので、本発明によれば衝撃吸収ゲル体の優れた緩衝作用に基づいてポンプからの振動を良好に吸収することができ、それからの振動が床スラブ等設置面や階下の天井，壁等に伝達されるのが抑制される。
またこれに伴って騒音レベルも効果的に低減する。
【００１１】
尚、本発明においては敷設部材全体をゴム等の弾性材で構成するのが望ましい。
このようにした場合、敷設部材の弾性と衝撃吸収ゲル体の粘性の両作用に基づいて振動をより効果的に吸収することができる。
【００１２】
本発明は、衝撃吸収ゲル体の収容室の下側に切除可能な脚を形成した防振装置を介してポンプを設置するようになしており、本発明によればポンプにおける台部が無いときは脚部を切除した上で使用することができる。即ち台部を有するポンプ及び台部を有しないポンプの何れに対しても共通の部品で対応することができる。
【００１３】
【実施例】
次に本発明の実施例を図面に基づいて詳しく説明する。
図１及び図２において、１０は気泡浴槽装置における浴槽本体で、周壁部１２と、底部１４と、上端のフランジ１６と、エプロン１８とを備えており、その周壁部１２に気泡混じりの噴流を噴出するための噴出口２０が形成されている。
【００１４】
周壁部１２には、また、浴槽水の取出口２２が形成されていてそこに取出管２４が接続され、浴槽本体１０内部の浴槽水が取出管２４を通じて外部に取り出されるようになっている。
【００１５】
取出管２４の端部はポンプ２６に接続されている。ポンプ２６からは戻し管２８が延び出しており、この戻し管２８の先端から分岐管３０が二股状に延び出している。分岐管３０の先端からは更に第２の分岐管３２が延び出し、各先端が前記噴出口２０に接続されている。
尚３４は噴出口２０からの噴流に気泡を混入させるエア吸入管である。
【００１６】
浴槽本体１０の底部１４からは脚３６が下向きに突出しており、これら脚３６が防振装置１６０を介して床スラブ４０上に設置されている。
また一方ポンプ２６はポンプ据置台４２を介して床スラブ４０の上に設置されている。
【００１７】
図３は防振装置１６０を拡大して示したもので、図示のようにこの防振装置１６０は、敷設部材としての硬度約５０°（ゴム硬度。ＪＩＳ  Ｋ６３０１）のゴム弾性体１６２とゲル状物質から成る硬度約３７°（ゴム硬度。ＪＩＳ  Ｋ６３０１）の衝撃吸収ゲル体１６４とを含んでいる。
【００１８】
ゴム弾性体１６２は平面形状が円形状のもので、上下中間部にプレート状部（荷重受部）１６６を有している。この防振装置１６０は、プレート状部１６６と円環状の周壁部１６８とによって構成される下向きカップ状の収容室１７０を有しており、そこにゲル状物質から成る円板形状の衝撃吸収ゲル体１６４が収容されている。
【００１９】
ここで収容室１７０は、下面が開放形状とされており、この収容室１７０内に収容された衝撃吸収ゲル体１６４の下部が収容室１７０より下側に突出しており、かかる衝撃吸収ゲル体１６４が単独で床スラブ４０に接地されている。
尚、周壁部１６８の下端面は、内周側において下向きの凸となるようなテーパ面１７２とされている。
【００２０】
一方上側にはプレート状部１６６と円環状の周壁部１７４とで構成される上向きカップ状のモルタル受部１７６が形成されており、図１に示しているようにそこにモルタル４４が充填され、かかるモルタル４４によって浴槽本体１０の脚３６が固着されている。
【００２１】
尚、モルタル受部１７６はその弾性によって内部の容積を変化させ得るものであり、従って浴槽本体１０の脚３６を流動状態のモルタル４４内部に突っ込んだ状態で上下調整を行うべく微少量昇降させたときにおいて、脚３６とモルタル４４との間に隙間を生ぜしめない特長を有する。
【００２２】
上記衝撃吸収ゲル体１６４は、例えばシリコーンゴムの架橋度を低く抑えてゲル状に調節した物質から成っており、未反応のシリコーンオイルを含んでいて所定の粘性を有している。このゲル状物質として本例では（株）ブリヂストン製のＭＮＣＳが用いられている。このものは反発弾性が２５％以下の衝撃吸収性能の高いものである。
【００２３】
尚この例では図３中ｄ１，ｄ２，ｄ３，ｄ４，ｄ５，ｄ６，ｄ７，ｄ８の各寸法がそれぞれｄ１＝３ｍｍ，ｄ２＝２５ｍｍ，ｄ３＝３ｍｍ，ｄ４＝１７ｍｍ，ｄ５＝３ｍｍ，ｄ６＝５ｍｍ，ｄ７＝１０ｍｍ，ｄ８＝１００ｍｍとされている。
【００２４】
この例の防振装置１６０は、衝撃吸収ゲル体１６４が単独で床スラブ４０に接地していることから、ゴム弾性体１６２から床スラブ４０への振動の伝達がなく、従って床スラブ４０への振動伝達を良好に遮断する特長を有する。
【００２５】
図４，５，６は他の例を示したもので、図示のようにこの防振装置３８は、敷設部材としてのゴム硬度４５°のゴム弾性体４６とゲル状物質から成る衝撃吸収ゲル体４８とを含んでいる。
【００２６】
ゴム弾性体４６は平面形状が円形状のもので、上下中間部にプレート状部（荷重受部）５０を有している。この防振装置３８は、プレート状部５０と円環状の周壁部４７とによって構成される下向きカップ状の収容室５１を有しており、そこにゲル状物質から成る円板形状の衝撃吸収ゲル体４８が収容されている。
【００２７】
一方上側にはプレート状部５０と円環状の周壁部５３とで構成される上向きカップ状のモルタル受部５２が形成されており、図４に示しているようにそこにモルタル４４が充填され、かかるモルタル４４によって浴槽本体１０の脚３６が固着されている。
【００２８】
尚この例では図６中ｄ１，ｄ２，ｄ３，ｄ４，ｄ５，ｄ６の寸法がそれぞれｄ１＝３ｍｍ，ｄ２＝３５ｍｍ，ｄ３＝１５ｍｍ，ｄ４＝３０ｍｍ，ｄ５＝１５ｍｍ，ｄ６＝１５０ｍｍとされている。
【００２９】
【表１】
0003581397.tif 000002
【００３０】
表１は上記防振装置３８を用いて気泡浴槽装置を設置し、そして図７に示す各測定点１〜１０で振動加速度を測定した結果を、上記防振装置３８を用いないで単にモルタル４４で脚３６を固着しただけの場合との比較において示したものである。
【００３１】
ここで振動測定実験は以下の条件、即ち重量６０ｋｇの浴槽本体１０を用いてそこに実用水量２３０リットルの水を入れ、そして噴出口２０より水を９０リットル／分の量で噴出させることにより行った。
【００３２】
尚、上記１〜１０の測定点は以下に示す通りである。
測定点１：ポンプ直下
測定点２：ポンプ下床スラブ
測定点３：浴槽天板（フランジ）
測定点４：浴槽下床スラブ
測定点５：防振装置上
測定点６：防振装置下床スラブ
測定点７：２階壁
測定点８：階下壁
測定点９：階下天井
測定点１０：階下床
【００３３】
【表２】
0003581397.tif 000003
【００３４】
また併せて測定点ａ〜ｃにおいて騒音レベルの測定を行った。結果が表２に示してある。但し測定点ａ〜ｃは以下の通りである。
測定点ａ：浴室内
測定点ｂ：直下階
測定点ｃ：ポンプ上
尚、階下の測定点ｂにおける測定結果としての周波数と騒音レベルとの関係が図８に示してある。
【００３５】
表１の結果、例えば測定点６の防振装置下床スラブ，測定点８の階下壁，測定点９の階下天井でそれぞれこの例の防振支持構造の場合、在来の支持構造に比べて約５ｄＢ，９ｄＢ，７ｄＢ下がっているように、図４〜６の支持構造によれば防振装置３８が振動を良好に吸収していることが分かる。
【００３６】
また図８の結果から、同支持構造によれば周波数３１．５Ｈｚ，６３Ｈｚを除いて騒音レベルが望ましい騒音レベル（ＰＮＣ−４０）よりも低くなっていることが分る。
【００３７】
図９は図１ないし図３に示す防振装置１６０を用い、同様の試験をした場合の結果を示している（図８に相当する図）。
図９の結果に見られるように防振装置１６０の場合、全周波数範囲に亘って騒音レベルが低下していることが分かる。
【００３８】
これらの防振支持構造においては、防振装置１６０，３８の形状が単純であるとともに、モルタル受部１７６，５２を一体に有していることから浴槽本体１０の設置施工が簡単であるとともに安価であり、また全体が可撓性の材料でできているために運搬，取扱性が良好で、その際に作業者がけがをしない利点がある。
【００３９】
尚図４〜６の防振装置３８においては、衝撃吸収ゲル体４８とゴム弾性体４６の下面とが面一であるが、ゴム弾性体４６を衝撃吸収ゲル体４８の若干下方に突出させることもできる。
これら図１〜３及び図４〜６の例において、衝撃吸収ゲル体１６４，４８の高さは５ｍｍ以上とするのが良く、実用上は１０〜３０ｍｍとするのが望ましい。
【００４０】
図１０は更に他の例を示したもので、この例の防振装置４９ではプレート状部５０とこれとともに上向きカップ状を成すモルタル受部５２（尚５３は周壁部）を有する敷設部材としての第一ゴム弾性体５４、同じく敷設部材としての薄板状の第二及び第三のゴム弾性体（介在層）５６，５８と円板状の第１，第２，第３の衝撃吸収ゲル体６０，６２，６４とが上下に交互に積層構造を成している。
【００４１】
この例の場合、各衝撃吸収ゲル体６０，６２，６４の厚みを薄くでき、これにより、また中間に介在する薄板状の第二，第三ゴム弾性体５６，５８によって、積層された衝撃吸収ゲル体６０，６２，６４の形状崩れが抑制される利点がある。
一方、多層に積層された各層の衝撃吸収ゲル体６０，６２，６４によって振動を良好に吸収することができる。
【００４２】
図１１は防振装置の更に他の例を示している。この例の防振装置６６は、敷設部材としてのゴム弾性体６８と衝撃吸収ゲル体７０とから成っている。
ゴム弾性体６８は、荷重受部としてのプレート状部５０とその下側に形成された下向き開放形状の収容室７２とを有しており、その収容室７２内に衝撃吸収ゲル体７０が収容されるようになっている。
【００４３】
ゴム弾性体６８におけるプレート状部５０には下面側に突出状の補強リブ７４が設けられている。この例では補強リブ７４は十字状を成している。
【００４４】
これに対応して衝撃吸収ゲル体７０の上面には嵌合溝７６が形成されている。嵌合溝７６は補強リブ７４に対応した十字状を成しており、そしてこの嵌合溝７６に対して補強リブ７４が嵌合されている。
【００４５】
この例の防振装置６６の場合、補強リブ７４及び嵌合溝７６の形状拘束作用によって衝撃吸収ゲル体７０の変形が抑制される利点がある。
【００４６】
図１２（イ），（ロ）は防振装置の更に他の例を示している。
先ず（イ）の防振装置７８は、敷設部材としてのゴム弾性体８０がプレート状部８２と、これとともに上向きカップ状を成すモルタル受部８４（尚８３は周壁部）と、プレート状部８２の下側に平面円形状の密閉の収容室８６，８８を上下２段に有しており、そこに円板状の衝撃吸収ゲル体９０，９２が封入されている。
この例の防振装置７８の場合、衝撃吸収ゲル体９０，９２中の液状物質が外部に滲み出さない利点を有する。
【００４７】
一方（ロ）の防振装置９４は、敷設部材としてのゴム弾性体９６がプレート状部９８と、これとともに上向きカップ状を成すモルタル受部１００（１０１は周壁部）とを有しており、更にプレート状部９８の下側中央部に断面円形の凹所１０２を有し、且つこの凹所１０２を取り巻くように円環状の密閉収容室１０４を有し、そこにリング状の衝撃吸収ゲル体１０６が封入されている。
【００４８】
次に図１３は、防振装置の更に他の例を示したものである。
この例の防振装置１７８は、図３に示す形態の防振装置１６０においてモルタル受部１７６の円環状の周壁部１７４に上下方向の断面Ｖカット状の切欠１８０を４個所に形成し、この切欠１８０において周壁部１７４を切除することによって、嵌込溝１８２を形成し、この嵌込溝１８２に浴槽本体１０の幅方向に連続的に延びる脚１８３を嵌込可能となしたものである。
【００４９】
この例においては、共通の防振装置１７８によって、図２及び図５に示す４本脚の浴槽本体１０、図１３（Ｂ）の下駄脚状の脚を有する浴槽本体１０の何れに対しても対応可能である利点がある。
【００５０】
図１４は防振装置の更に他の例を示したもので、この防振装置２００はモルタル受部１７６の円環状の周壁部１７４に、これを肉厚方向に貫通するスリット状の排水用溝２０２を形成したものである。
【００５１】
この例の場合、施工時にモルタル受部１７６内に充填したモルタルが硬化するとき、ブリージング現象によって浮かび上がった水或いは浴槽本体１０の外面で結露し、脚２０４を伝ってモルタル受部１７６に垂れてきた水等、不要な水又は微細なゴミをこのスリット状の排水用溝２０２から外部に良好に排出することができる。従ってモルタル受部１７６にそれら不要な水や微細なゴミが溜って腐敗し、悪臭を放つといったことを防止できる。
【００５２】
図１５（イ）は防振装置の更に他の例を示したもので、この例の防振装置１０８は、敷設部材としてのゴム弾性体１１０がプレート状部１１２と、これとともに上向きカップ状を成すモルタル受部１１４（１１３は周壁部）とを有している。
プレート状部１１２の下側には密閉の中空室１１６が形成されていてそこに空気が収容され、以て空気ばね１１９が構成されている。
【００５３】
ここで中空室１１６は蓋体１１８の接着によって密閉構造とされている。蓋体１１８はゴム弾性体から成るものである。
尚、蓋体１１８の接着面を気密にすることにより、空気ばね効果を高めることができる。
尤も隙間が生じていた場合においては、隙間を通じての空気の流動に基づいて振動減衰効果を期待できる。
【００５４】
尚この防振装置１０８は、この例ではゴム弾性体１１０としてゴム硬度４５°のものが用いられ、また蓋体１１８としてゴム硬度７５°のものが用いられている。
ここで蓋体１１８は、荷重がかかったとき中空室１１６を構成するためのゴム弾性体１１０の脚部１２４が広がり変形するのを防止する作用もなす。
【００５５】
図１５（ロ）は防振装置の更に他の例を示したもので、この例の防振装置１２０は、（イ）の防振装置１０８に対してその下面に複数個（この例では４個）の突起１２２（ゴム製）を形成したものである。このような突起１２２を設けることによって、浴槽本体１０から設置面への振動伝達を更に有効に抑制することができる。
【００５６】
図１６は更に他の例を示している。
この例の防振装置１８４は、プラスチック製の敷設部材１８６と衝撃吸収ゲル体１９０とを含んでいる。
敷設部材１８６には下向き且つ下面が開放形状の収容室１８８が形成されていて、そこに衝撃吸収ゲル体１９０が収容され、かかる衝撃吸収ゲル体１９０が下側に突出させられている。
【００５７】
この例の特長は、敷設部材１８６が浴槽本体１０のプラスチック製の脚１９２と一体に成形されている点にあり、従ってこの例によれば浴槽本体１０の生産工場において予め防振装置１８４を組み付けた状態で出荷できる利点がある。
【００５８】
図１７（Ａ）は本発明の実施例を示したもので、この実施例は前記ポンプ２６の下側に防振装置を介設する場合の例を示している。
図に示す防振装置１２６の場合、敷設部材としてのゴム弾性体１２８が底部１３０とその上側に収容室１３２を有しており、この収容室１３２内に衝撃吸収ゲル体１３４が収容されている。この収容室１３２は、敷設部材の一部をなすゴム弾性体から成る荷重受部としての蓋体１３６にて上端開放部が閉塞されている。
【００５９】
蓋体１３６には外周部に沿って円環状の嵌込溝１３８が形成されており、この嵌込溝１３８において収容室１３２を構成するためのゴム弾性体１２８の円形の周壁部の上端に嵌め込まれている。
【００６０】
一方底部１３０の下側には、凹所１４０を取り巻くようにして所定高さの環状の脚１４２が一体に形成されている。また脚１４２の付け根部位、具体的には底部１３０の下面とほぼ同じ高さ位置において、ゴム弾性体１２８の外周面に沿って断面Ｖカット状の環状溝１４４が形成されている。
この環状溝１４４は、脚１４２を切除する際の切断部を形成するものである。
【００６１】
上記防振装置１２６は例えば次のようにして使用する。
即ち図１７（Ｂ）（イ）に示しているようにポンプ２６に台部１４６があるときには、脚１４２を切除することなく防振装置１２６をそのままの形で用いる。このとき蓋体１３６の上面を台部１４６の下面に対し接着をする。一方脚１４２は据置台４２に対して非接着とする。
ポンプ２６には上記配管が接続されて固定されるため、脚１４２を据置台４２に対して接着することは特に必要無いからである。
【００６２】
さてこのようにして防振装置１２６を介設した場合、ポンプ２６の台部１４６は据置台４２から浮いた状態となる。即ち防振装置１２６の脚１４２は台部１４６を浮かせるための部分であり、これに必要な高さで形成されている。
【００６３】
一方図１７（Ｂ）（ロ）に示しているようにポンプ２６に台部１４６が無いときには、上記Ｖカット状の環状溝１４４の部分において脚１４２を切除して用いる。この場合底部１３０が直接据置台４２上に載置される。
【００６４】
このような形態の防振装置１２６をポンプ２６と据置台４２との間に介設することによって、ポンプ２６から床スラブ４０への振動の伝達が良好に抑制される。
【００６５】
図１８（イ）はポンプ用の防振装置の他の例を示したもので、この防振装置１４８の場合、敷設部材としてのブロック状のゴム弾性体１５０とその下側に積層されたブロック状の衝撃吸収ゲル体１５２とを積層した単純な形状をなしている。
【００６６】
尚、以上の何れの例においてもゴム弾性体と衝撃吸収ゲル体とは接着しておくのが望ましいが、場合により非接着であっても良い。
【００６７】
以上のように本発明は敷設部材と衝撃吸収ゲル体とを積層するものであるが、場合により図１８（ロ）に示しているように、ポンプ２６の設置に際して単に衝撃吸収ゲル体１５４を介設するだけでもある程度の効果を得ることができる。
【００６８】
以上本発明の実施例を詳述したがこれはあくまで一例示である。
例えば上例では（図１６の例を除いて）何れも敷設部材としてゴム弾性体を用いているが、他の材質から成る弾性体を用いることも可能であるし、また敷設部材としてセメント系パネルを用いるといったことも可能であり、このような場合も本発明に含まれるものである。
【００６９】
更に本発明はその主旨を逸脱しない範囲において、種々変更を加えた形態で構成可能である。
【図面の簡単な説明】
【図１】気泡浴槽装置の防振支持構造の一例を気泡浴槽装置とともに示す断面図である。
【図２】図１の気泡浴槽装置及び防振支持構造の斜視図である。
【図３】図１，図２における防振装置の図である。
【図４】気泡浴槽装置の防振支持構造の他の例を気泡浴槽装置とともに示す断面図である。
【図５】図４の気泡浴槽装置及び防振支持構造の斜視図である。
【図６】図４，図５における防振装置の図である。
【図７】図１，図２及び図４，図５の防振支持構造の効果を確認するための振動，騒音測定実験を行ったときの測定点を示す図である。
【図８】同騒音測定実験において図４，図５に示す防振支持構造について得られた騒音レベルと中心周波数との関係を示す図である。
【図９】同騒音測定実験において図１，図２の防振支持構造について得られた騒音レベルと中心周波数との関係を示す図である。
【図１０】防振装置の他の例を示す図である。
【図１１】防振装置の更に他の例を示す図である。
【図１２】防振装置の更に他の例を示す図である。
【図１３】防振装置の更に他の例を示す図である。
【図１４】防振装置の更に他の例を示す図である。
【図１５】防振装置の更に他の例を示す図である。
【図１６】防振装置の更に他の例を示す図である。
【図１７】本発明の実施例である防振支持構造におけるポンプ用の防振装置の例を示す図である。
【図１８】ポンプ用の防振装置の他の例を示す図である。
【図１９】従来の気泡浴槽装置の防振支持構造を気泡浴槽装置とともに示す断面図である。
【符号の説明】
１０  浴槽本体
２０  噴出口
２６  ポンプ
３６，１４２，１８３，１９２  脚
３８，４９，６６，７８，９４，１０８，１２０，１２６，１４８，１６０，１７８，１８４，２００  防振装置
４０  床スラブ
４４  モルタル
４６，５４，５６，５８，６８，８０，９６，１１０，１２８，１５０，１６２  ゴム弾性体（敷設部材）
４８，６０，６２，６４，７０，９０，９２，１０６，１３４，１５２，１５４，１６４，１９０  衝撃吸収ゲル体
５０，８２，９８，１１２，１６６  プレート状部（荷重受部）
５１，７２，８６，８８，１０４，１３２，１７０，１８８  収容室
５２，８４，１００，１１４，１７６  モルタル受部
７４  補強リブ
７６  嵌合溝
１１６  中空室
１１８  蓋体
１１９  空気ばね
１３６  蓋体（荷重受部）
１８６  敷設部材
２０２  排水用溝
【図１】
0003581397.tif 000004
【図２】
0003581397.tif 000005
【図３】
0003581397.tif 000006
【図４】
0003581397.tif 000007
【図５】
0003581397.tif 000008
【図６】
0003581397.tif 000009
【図７】
0003581397.tif 000010
【図８】
0003581397.tif 000011
【図９】
0003581397.tif 000012
【図１０】
0003581397.tif 000013
【図１１】
0003581397.tif 000014
【図１２】
0003581397.tif 000015
【図１３】
0003581397.tif 000016
【図１４】
0003581397.tif 000017
【図１５】
0003581397.tif 000018
【図１６】
0003581397.tif 000019
【図１７】
0003581397.tif 000020
【図１８】
0003581397.tif 000021
【図１９】
0003581397.tif 000022